(57)【要約】  ハーネス（１１，１４，３６，３７）と、ハーネスに支持されて赤ん坊を保持するポーチを形成する前片（２２）とを具備するベビーキャリヤであって、前片は、互いに対する可変の間隔で横方向に分離された二つの部分（２０４）を含んでおり、前片の横方向に分離された部分（２０４）は帯状材料（２０２）に互いに結合されており、帯状材料の側方伸縮性は、前片の分離された部分（２０４）の側方伸縮性より非常に大きい。
2008532724.tif 000002
【特許請求の範囲】
【請求項１】
ハーネス（１１，１４，３６，３７）と、ハーネスに支持されて赤ん坊を保持するポーチを形成する前片（２２）とを具備するベビーキャリヤであって、前記前片が、互いに対する可変の間隔で横方向に分離された二つの部分（２０４）を含むベビーキャリヤにおいて、
前記前片の横方向に分離された部分（２０４）が帯状材料部片（２０２）に互いに接続され、前記帯状材料部片（２０２）の側方伸縮性が前記前片の横方向に分離された部分（２０４）の側方伸縮性より非常に大きいことを特徴とする、ベビーキャリヤ。
【請求項２】
前記前片の部分（２０４）が柔軟性を有するとともに、前記部分（２０４）のそれぞれのシート状平面又は伸張平面においてほぼ非伸縮性であることを特徴とする、請求項１に記載のベビーキャリヤ。
【請求項３】
前記帯状要素（２０２）がその側方伸縮性を、少なくとも下方固定取付具（２１）と、下方へ折り畳み可能な前記前片の上縁部分（１２２）のための折り曲げ線（１２４）との間の縦の領域において有することを特徴とする、請求項１又は２に記載のベビーキャリヤ。
【請求項４】
前記帯状要素が、その全長にわたってほぼ一様な側方伸縮性を有することを特徴とする、請求項１〜３のいずれか一項に記載のベビーキャリヤ。
【請求項５】
前記帯状要素が、１０ｃｍの長さを有する帯状要素の区画に沿って一様に分布された５０Ｎの荷重に対して、５〜３０ｍｍだけ、好適には１０〜２０ｍｍだけ幅を増大させることができることを特徴とする、請求項１〜４のいずれか一項に記載のベビーキャリヤ。
【請求項６】
前記帯状要素が、４〜１２ｃｍの範囲の幅、好適には５〜１０ｃｍの範囲の幅、及び更に好適には約７ｃｍの幅を有することを特徴とする、請求項１に記載のベビーキャリヤ。
【請求項７】
前記帯状要素が、通気作用を提供するような網状構造を有することを特徴とする、請求項１〜６のいずれか一項に記載のベビーキャリヤ。
【発明の詳細な説明】
【技術分野】
【０００１】
本発明は、特許請求の範囲の請求項１の前提部分において規定された種類のベビーキャリヤに関するものである。
【背景技術】
【０００２】
公知のベビーキャリヤの一部のタイプは、ハーネスと前片とを具備しており、前記前片はハーネスによって支持されるとともに、赤ん坊を保持するポーチを形成している。前片の上部側方コーナー部分及び前片の下方部分は、ハーネスの対応する近くの接続点に好適に着脱可能に接続される。前片は、柔軟性を有しており、及び従ってポーチ内に保持された赤ん坊の体重の影響を受けてふくれること及び褶曲することによってそれ自身をある程度まで成形する。前片は、赤ん坊に快適な支持を提供するために基本的には非伸縮性材料から作られる。
【０００３】
しかしながら、柔軟で基本的に非伸縮性の材料から構成された前片が実際には知られているが、この前片は鉛直の中心対称線に沿って分割されている。前片部分の隣接する縁は、互いの間の水平方向の距離で配設されて、前記前片部分の縁の近くに沿って延びるレーシングによって一体的に保持されている。前記レーシングは、一連の貫通開口又はアイレットと紐の輪とによって形成されており、前記一連の貫通開口又はアイレットは前記前片部分の縁の近くに沿って配列されており、また前記紐の輪は、両端部分が前記列の両方における鉛直に離間された穴を交互に通して延びる紐の輪であり、前記紐の端は前片の隣接する縁に沿って繰り返し互いに交差する。前片のレーシングは、紐をそれらのそれぞれの端から変化した距離で共に結ぶことにより、前片の前記部分の間の異なる距離を得るために調節され得る。紐はそれらのそれぞれの穴を通って滑動するので、前片の局部的な幅は、赤ん坊によって局部的に及ぼされる荷重の結果として変化され得る。
【０００４】
赤ん坊によって及ぼされる最大局部荷重が前記前片の部分の間の対応する局部的距離の増大を促進するが、これら部分の縁の近くに沿う荷重の分布に起因して、紐に沿った他の位置における前記部分の間の距離の減少を引き起こす。このことは、完全には予想され得ない赤ん坊によって及ぼされる荷重の影響を受けて前片を成形するという結果になり、同様に、レーシングによって相互に共に保持される前片が、赤ん坊の形状に一致するように前片がそれ自身を成形することを可能にするとはいえ、そのような成形は赤ん坊に追加の快適性を与えないことを意味する。
【発明の開示】
【発明が解決しようとする課題】
【０００５】
従って、本発明の目的は、前片の前記部分の間の境界領域に沿う他の位置における反対方向の望ましくない距離の変化を結果として生じることなく、前片の前記部分の間の局部的水平方向荷重から生じる距離の局部的変化を提供するようにされた前片を備えるベビーキャリヤを提供することである。
【０００６】
この目的は、本発明によって完全に又は部分的に達成される。
【課題を解決するための手段】
【０００７】
本発明は特許請求の範囲の請求項１において規定される。
【０００８】
本発明の他の実施態様が特許請求の範囲の従属請求項から理解されるであろう。
【０００９】
前片は、横方向に分離されて概ね鏡像対称な二つの部分を含んでおり、前記二つの部分は柔軟性を有しているが基本的には非伸縮性である。本発明の重要な特徴は、前片のこれらの部分が、選択された相対的分離間隔で側方に配設されるとともに、選択された弾性的特性を有する弾性材料によって、それらの縦の分離領域の基本的には全体に沿って一体的に接合されることである。赤ん坊によって生み出され、前片の高さに沿って変化する荷重は、前片の前記部分の間の距離における対応する水平方向の変化という結果になる。前片の形状は、赤ん坊の形状に一致する一方で、同時に赤ん坊のために前片／保持ポーチをより快適にするものである。前片の形状へのこの適応は、前片の前記部分を接続する材料の弾性的伸縮性に起因して、前片の最小限の折り又はギャザリングとともに達成される。実際に、弾性材料は、前方部分の全高に概ね沿って及び前片の幅領域の中央に沿うように前片に沿って鉛直に延びる帯状要素を具備することができる。弾性材料は、網のような特徴を有することができる。前片のほぼ非伸縮性部分もまた網のような特徴を有することができる。本発明の好適な一実施例の場合、前片の中央に配設された弾性帯状要素は、約７ｃｍの幅を有しており、前記要素の材料は、１０ｃｍの長さに沿って鉛直方向に一様に分布された水平に方向付けられた５０Ｎの荷重が前記要素の幅の約１．５ｃｍの増大、すなわち帯状要素の約２０％の水平方向の伸びに相当する幅の増大を引き起こすように選択される。
【００１０】
ここで本発明は、添付の図面を参照しながら、一例として説明される。
【発明を実施するための最良の形態】
【００１１】
図１〜４はベビーキャリヤを示しており、該ベビーキャリヤは、その構造的構成要素が例えば主にＷＯ０３／００３８８０Ａ１パンフレットから公知であり、また着用者の胸の両側でほぼ鉛直に延びることが意図された二本のチェストストラップ３１を具備している。各チェストストラップ３１は着用者のそれぞれの肩の上に延びて、着用者の背中で互いに交差する。着用者の背中で互いに交差するストラップ部分３６は取付具１４によって共に保持され、更に別のストラップ部分３７が、前記交差点１４の下方で着用者の臀部の周りに延在し、連結取付具１１、１１’において終端し、前記連結取付具１１、１１’にチェストストラップ３１の下方部分も接続される。
【００１２】
またストラップ部分３７は調節取付具３を好都合に含んでおり、前記調節取付具３は前記ストラップ部分の長さを容易に調節可能にする。
【００１３】
連結取付具１１、１１’は、ホルダ１０における対応する連結取付具１２、１２’に解放可能に接続され、前記ホルダ１０は、調節取付具１３の媒介で、前片２２の中央帯状下方部分２１を長さ調節様式で受容している。前片２２は、その下方部分が略三角形の柔軟な布地片もしくは織物片又は相当する材料を具備しており、前記三角形の上部コーナー２５は下方に向いた細長いフィンガ４３を具備する接続器４１、４１’を備えており、前記フィンガ４３は、上側に配置されたポケット入口開口３３を経由して前側ストラップ３１に設けられた対応する深さのポケット３２内に受容され、その結果前片は安全な赤ん坊保持ポーチを形成することができる。
【００１４】
前片２２は、上縁部分１２２も含んでおり、前記上縁部分１２２は、折り曲げ線１２４によって前片２２の下方部分に下方へ折り畳まれ及び前記下方部分から上方へ起こされることが可能である。前片２２は、折り曲げ線１２４の高さに側方凹部１２３を有している。赤ん坊の脚のための開口が、一方ではチェストストラップ３１と前片２２との間に、及び他方では取付具１２、７５；１２’、７５’の間の領域に設けられている。上縁部分１２２は、赤ん坊が目覚めているときは下に折りたたまれることが可能である。赤ん坊が、休息したがるか又は眠りたがったとき上縁部分１２２は上へ起こされて、その側方端部分１２５が、側方端部分１２５の頂部に接続された第１部分７０及びストラップ３１に接続された第２部分８０を含む解放可能連結器を用いてチェストストラップ３１の近くの部分に接続される。
【００１５】
上縁部分１２２は、少なくとも側方端部分１２５において柔軟であり、また前記端部分を折り曲げ線１２４の周りで折り畳むことに関して柔軟である。連結部分７０、８０は、前記上縁部分が小さな及び／又は眠っている赤ん坊の頭のためのサポートを形成するように上縁部分１２２と協働する。
【００１６】
図２からわかるように、第１連結部分７０は、縫い目６９を用いて部分１２２の側方端部分１２５に回転不可能に結合されており、ストラップ６６の端部は接続部分７０のスロット７１を通って延び、及び縫い目６９はストラップ６６の端部と前片の両方の部品を貫通して延びている。
【００１７】
固定取付具６１が参照符号６２において、前片２２の対称線の概ね中間の部分１２２に縫い付けられている。取付具６１は、二つの貫通開口を含んでおり、前記二つの貫通開口の一方と他方はポスト６４によって境界を定められている。ストラップ６６の自由端部は、開口６３を通ってポストの周囲に延びている。図からわかるように、前記ストラップの自由端６７は、ストラップが取付具６２の開口を通って引かれることを妨げるように働く指グリップ６８を含んでいる。取付具６２は、それ自身は公知の様態でストラップ６６と協働することにより、つまり、ストラップ６６が取付具６１から滑り出すことを可能にするようにストラップの自由端６７を引くことによって又は縫い目６２の周りで取付具６１を引き上げることによって、ポスト６４と縫い目６５との間のストラップ６６の有効長さを調節可能にする。
【００１８】
ストラップ６６は概ね水平に方向付けられる。
【００１９】
図３から明らかなように、ストラップアレンジメント６０は、連結部分７０と取付具６１との間の距離に対する選択的調節がなされることを可能にし、部分１２５は、部分的には縫い目６２の近傍の概ね鉛直の折り曲げ線の周りで、及び部分的には長手方向中央部分１２８で、図３に示される形状で自然に曲がる。縫い目６９と折り曲げ部１２８との間の部分１３０は、着用者の胸部に当接し、また折り曲げ線１２７と１２８との間の部分１３１は概ね平坦な状態を保持し、前記概ね平坦な状態の着用者の胸部の表面に対する角度はストラップ６６の有効長さと共に変化する。部分１３１は赤ん坊の頭のための快適な支持表面を形成する。
【００２０】
曲げ縁線又は折り目線１２７、１２８はもちろん、それが示された場所で曲がることを確実にするように前片に配置されてよいことが理解されるであろう。上縁部分１２２が前片２２の下側部分に対して下方へ折り畳まれているときでさえ、ポーチの上方に向いた開口の大きさを必要に応じて調節可能にするように、ストラップアレンジメント６０に届いてそれが操作され得ることが理解されるであろう。
【００２１】
本発明の一つの特に好適な実施態様によると、公知の連結器の連結部分７０は、ポスト８０の周りで解放可能に接続され得る平坦なリング状連結要素７０を含む。
【００２２】
この連結アレンジメントは、連結部分７０の開口をとおる概ね水平の直径に対応する回転軸線の周囲で１８０度で相互に分離されている二つの回転位置で、連結要素７０がポスト８０に接続すること可能にする。連結部分７０は、平らに置かれたとき、前片２２を通る折り曲げ線１２４の近傍に位置するように取り付けられている。連結部分７０は、側方末端１２５に回転不能に接続されているので、連結アレンジメント７０、８０は、上縁部分１２２が折り曲げ線１２４によって下に折り畳まれた状態にあることを助ける。前片２２は、そのシート状平面において概ね非伸縮性であるが、シート状の状態に向かう形状記憶性を有するように好適に作り出される。柔軟な前片２２は、上縁部分１２２をこの弾性的形状記憶性の作用によって図１に示される上方に曲げ起こされた状態で維持する傾向を有する。
【００２３】
図１に示される前片は、二本の相互に平行且つ相互に離間された縫い目又は装飾線２０１を含んでいる。概ね鉛直に方向付けられた帯状片２０２が、これらの装飾線２０１の間に結合されている。前片の相互に同様の二つの部分２０４が装飾線２０１の外側に配置されており、前記二つの部分２０４は、概ね鏡像対称であって、前片の前記部分のシート状平面において概ね非伸縮性の柔軟な材料から作られている。前記部分の材料は、例えば、非伸縮性の布地又は織物の概ね平行な二層と弾性プラスチック発泡体シートの中間物とから構成されてよく、前記中間物は、前片の前記部分の平坦な状態に対応する形状記憶性を前片の前記部分に与えるものである。図示された例の帯状片２０２は、装飾線２０１の間の約７０ｍｍの幅を有しており、また少なくともその水平方向で、即ち装飾線２０１に対して直交する方向で、弾性的に伸縮可能であるように構成されている。前記帯状片は、鉛直方向においても同様に弾性的に伸縮可能であることが好都合であり、またそれ自身の平面における全方向において弾性的に伸縮可能であることが好適である。
【００２４】
帯状片２０２は、試験をされた実施例の以下の特性を有しており、前記特性はベビーキャリヤハーネスで保持される赤ん坊に特に良好な快適性を提供する。幅７０ｍｍの帯状片の長さ１０ｃｍの区画であって、縫い目２０１を介して前片の前記部分２０４に結合された鉛直の縁を有する区画が、その鉛直な縁の間に５０Ｎの一様な分布荷重を受け、その結果約１６ｍｍの幅の弾性的増大、即ち約２０％の伸びが生じたことが観察された。高度の快適性は、そのような荷重における５〜３０ｍｍの範囲で、好適には１０〜２０ｍｍの範囲で帯状片の幅の増大を与える構造で獲得されることがおそらく可能であり、また、帯状片の幅は、４〜１２ｃｍの範囲にある幅が好適であり、５〜１０ｃｍの範囲にある幅が更に好適であるが、７０ｍｍより大きいか小さいかであることが理解されるであろう。
【００２５】
帯状片２０２は網のような特徴２０７を有している。年間の温暖な時期の間には好適な通気作用を提供するために、前片の部分２０４もまた網のような特徴を与えられている。
【００２６】
折り曲げ線１２４の上、つまり上縁部分１２２に位置する帯状片２０２の区画に補剛要素を含むことが可能であり、前記補剛要素は折り曲げ線１２４及び上縁部分１２２の自由端から鉛直に広がっている。補剛要素は、前片と下方に折り畳まれた上縁部分との間の折り畳み領域が荷重の幾何特性に起因して折り曲げ線１２４から図の上方へずれることを防止することを可能にする。
【００２７】
帯状要素が、二つの相互に平行で好適には網のような層の材料から形成されるとき、補剛要素は、これらの層の間に配置されて、例えば上縁の自由端部分１２２の近傍で前片を通して固定されることが可能であり、その結果補剛要素は帯状要素２０２の折り曲げ線１２４より上の部分の幅のどんな弾性的変化も妨げる。
【図面の簡単な説明】
【００２８】
【図１】創意に富むベビーキャリヤの概略図である。
【図２】図１のハーネスにおける接続手段の概略図であって、前片の上縁をハーネスチェストストラップに接続するための連結器の連結要素形成部分を共に示す概略図である。
【図３】図２の線分ＩＩＩ−ＩＩＩに沿って見た概略図であって、ハーネスチェストストラップの第２連結要素に接続された第１連結要素を示す概略図である。
【図４】第２連結要素の概略的側面図である。
【図１】
2008532724.tif 000003
【図２】
2008532724.tif 000004
【図３】
2008532724.tif 000005
【図４】
2008532724.tif 000006
【国際調査報告】
2008532724.tif 000007
2008532724.tif 000008
2008532724.tif 000009